(57)【特許請求の範囲】
【請求項１】
左右両側部に便器幅よりも広く離間させて立設される一対の側部フレーム２の後端部を連結パイプ３で連結し、平面視で前側開口コ字状に本体フレーム１を構成し、この本体フレーム１の中央便器直上部には便座９を開閉可能に取り付けた便座支持枠６を設け、この便座支持枠６の左右両側部には前端を便座９の前方かつ便座高さ近傍において側部フレーム２に回動自在に枢着した回動アーム１０の後端を連結固着し、この回動アーム１０の上下回動により前記便座９が便器上の水平状態と前方に傾斜した上昇状態とに姿勢変更可能に設けると共に、前記回動アーム１０には枢着点から下方側に伸びるブラケット１１を設け、このブラケット１１の先端部には本体フレーム１に設けられた正・逆回転可能なモーター１４の出力回転軸に取り付けられたローラー１７で巻き取り・繰り出し可能なロープ部材１８の端部を止着し、このロープ部材１８の巻き取り・繰り出しによって前記回動アーム１０を上下回動させることを特徴とする便座昇降装置。
【発明の詳細な説明】
【０００１】
【産業上の利用分野】
本発明は、身体障害者や老人等の足腰の弱い下肢不自由者が便座に腰掛けたり立ち上がったりするときに利用する便座昇降装置に関するものである。
【０００２】
【従来の技術】
身体障害者や老人等の足腰の弱い下肢不自由者にとって、起立状態から腰掛けたり、腰掛け状態から立ち上がったりすることは極めて困難なことであり、これは、トイレで便座に腰掛けたり立ち上がったりするときも同様である。そこで、従来は便座の左右両側部に補助のためのテスリを設け、このテスリを手掛かりとして使用者は立ち上がったり腰掛けたりしていた。
【０００３】
【発明が解決しようとする課題】
しかしながら、便器の前で後ろ向きに立ち、その左右両側部に設けられたテスリに掴まって身体を支持し腰を下ろす場合、上半身に大きな負担が掛かるだけでなく、起立状態から腰掛ける途中の中腰状態からは身体を腕のみで支えきれず、急速に腰が落下し、極めて危険であるという問題点があった。
そこで本発明は、起立状態から腰掛け状態まで通して腰部を受けて支持し、極めて容易かつ安全に姿勢変更可能であると共に構成が簡単である便座昇降装置とすることを課題としている。
【０００４】
【課題を解決するための手段】
本発明は上記課題を解決するために、左右両側部に便器幅よりも広く離間させて立設される一対の側部フレーム２の後端部を連結パイプ３で連結し、平面視で前側開口コ字状に本体フレーム１を構成し、この本体フレーム１の中央便器直上部には便座９を開閉可能に取り付けた便座支持枠６を設け、この便座支持枠６の左右両側部には前端を便座９の前方かつ便座高さ近傍において側部フレーム２に回動自在に枢着した回動アーム１０の後端を連結固着し、この回動アーム１０の上下回動により前記便座９が便器上の水平状態と前方に傾斜した上昇状態とに姿勢変更可能に設けると共に、前記回動アーム１０には枢着点から下方側に伸びるブラケット１１を設け、このブラケット１１の先端部には本体フレーム１に設けられた正・逆回転可能なモーター１４の出力回転軸に取り付けられたローラー１７で巻き取り・繰り出し可能なロープ部材１８の端部を止着し、このロープ部材１８の巻き取り・繰り出しによって前記回動アーム１０を上下回動させることを特徴とする便座昇降装置とした。
【０００５】
【作用】
本発明にかかる便座昇降装置は、便座を下降端に位置させておけば通常のトイレとして使用できる。また、回動アームの枢着点が便座前方の略々同じ高さにあるから、回動アームを上動させると便座が前方に傾斜しながら上昇していく。したがって、便座を上昇させると使用者の腰を押し出すようになり自然に腰掛け状態から起立状態となる。逆に下降させる場合は便器に後ろ向きに立ち、便座に腰を預けておけば終始便座が使用者の腰を支持し起立状態から腰掛け状態まで安全に姿勢変更できる。
【０００６】
【実施例】
以下、本発明の一実施例を図面に基づき詳細に説明する。
１は本体フレームであり、左右両側部に便器幅よりも広く離間させて立設される一対の側面視門型状の側部フレーム２と、この側部フレーム２の後側部に両端を速結固着すると共に便器を迂回するように左右中間部を後方へ膨らませて形成した連結パイプ３とからなり、平面視で前方開口のコ字状に構成されている。また、４は前記側部フレーム２の前後それぞれの下部に両端を固着した下部フレームである。５は側部フレーム２の前後下端部に取り付けられるゴムキャップである。
【０００７】
６は平面視で長方形のループを形成した便座支持枠であり、後端部左右側には横方向の通孔が設けられた一対の便座支持金具７が固着されている。そして、この便座支持金具７の通孔に挿通されるピン８により便座９の後端部を軸支し、便座９が前記便座支持枠６の上面で開閉自在に設けられている。
【０００８】
１０はパイプ部材からなる左右一対の回動アームであり、平面視Ｌ字型に形成し、さらにこの前後方向長手部は側面視で中間部を前後端部よりも高く位置するように屈曲させると共に、この中間部を水平状のテスリ部として形成している。また、この長手部の先端部にはブラケット１１が固着されており、このブラケット１１を前記側部フレーム２の前側上部に取り付けられたメタル筒１２にピン１３を介して枢着し、この回動アーム１０が上下回動自在に設けられている。そして、この左右一対の回動アーム１０の後端部には前記便座支持枠６が連結固着され、便座支持枠６が回動アーム１０の上下回動によって便器直上部の水平状態から上昇して前方に傾斜した状態になるように設けられている。なお、前記ブラケット１１は少なくとも左右一側のブラケット１１を枢着部から下方に長く伸びるように設けている。
【０００９】
１４は正・逆回転可能なモーターであり、前記長く設けたブラケット１１側の側部フレーム２の枠内前側部で内外仕切壁となるカバー１５に設けられたモーター取付枠１６に取り付けられている。そして、このモーター１４の出力回転軸には両端鍔付きのローラー１７が取り付けられ、この鍔部にはロープ部材１８の一端が止着されている。すなわち、モーター１４の正・逆回転により、ロープ部材１８がローラー１７に巻き取られたり繰り出されたりするようになっている。そして、このロープ部材１８の他端部は前記ブラケット１１の先端部に止着し、ロープ部材１８の巻き取り・繰り出しによって回動アーム１０が上下回動されるように設けられている。なお、このロープ部材１８は屈曲自在な紐状のものであって、ワイヤーロープでも良いことは言うまでもない。
【００１０】
１９は電気制御回路を内蔵する配電ボックスを示し、本実施例ではカバー１５の前側下部に取り付けられている。また、２０はモーター１４の正・逆回転を操作する操作スイッチＰＢ１，ＰＢ２を備えたスイッチボックスを示す。
【００１１】
以上の構成である便座昇降装置を使って便器上に腰掛ける場合、まず第１図の状態から操作スイッチＰＢ１を操作してモーター１４を正回転させてロープ部材１８をローラー１７に巻き取り、第３図に示すように回動アーム１０を上動させて適所でモーター１４を停止して回動アーム１０を設定保持する。そして身体障害者や老人等の使用者は、上昇して傾斜状態にある便座９に腰を下ろした後、操作スイッチＰＢ２を押してモーター１４を逆回転させてロープ部材１８を繰り出し、回動アーム１０を第１図の状態に戻せば使用者が便器上に腰掛けた状態になる。このとき、回動アーム１０の中間水平部を便座９よりも高く設定しているので、それに掴まって身体を支持するテスリとして使用できる。また、逆に腰掛けた状態から起立状態になるには、前記とは全く逆の操作をすれば良い。
【００１２】
また、回動アーム１０の回動中心である枢着点を便座支持枠６の前方で少なくとも便座９よりも低い位置に設けたから、回動アーム１０が上方回動すると便座９は下端水平状態から徐々に前方傾斜すると共に前方に移動する。したがって、便座９が上昇した傾斜状態で使用者が腰を便座９に預けるとき、膝を曲げることなく腰を後方の便座９に持たせかけるようにするだけでよく、使用者にかかる負担を極めて軽減することができる。また、この便座昇降装置を第１図に示す状態にしておけば、便座９が開閉可能に設けられているので健常者も通常のトイレとして使用できる。
【００１３】
【発明の効果】
以上に説明したように、本発明にかかる便座昇降装置は、便器前で後ろ向きに起立した状態から腰部後方に前方傾斜した便座に腰を持たせかけ、便座を下降させるにつれてこの便座が徐々に後方移動しながら便器上で水平になるように構成したから、起立状態から腰掛け状態まで腰部を便座に支持でき、身体障害者や老人等の足腰の弱った人が極めて容易かつ安全に姿勢変更可能となった。逆に、腰掛け状態から起立状態に姿勢変更するときも、使用者の負担を軽減し便利であることはいうまでもない。また、回動アームの上下回動による便座昇降であるので極めて構成が簡単である。
【図面の簡単な説明】
【図１】全体を示す側面図
【図２】その平面図
【図３】便座を上方回動させた状態を示す全体側面図
【符号の説明】
１          本体フレーム
２          側部フレーム
３          連結パイプ
６          便座支持枠
９          便座
１０        回動アーム
１１        ブラケット
１４        モーター
１７        ローラー
１８        ロープ部材
【図１】
0003580440.tif 000002
【図２】
0003580440.tif 000003
【図３】
0003580440.tif 000004